【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
データ受け入れサーバ、予備処理サーバ、データ処理サーバ、及び、データ受け渡しサーバを含み、複数の業者間で前記データを授受しながら、当該データに係る印刷物を製造する印刷業務、を支援するシステムであって、
前記複数の業者を特定する情報を受け入れる手段と、
プロジェクトを遂行する業者を特定する情報として、前記複数の業者を特定する情報のうちの少なくとも一部と、当該遂行されるプロジェクトで利用される印刷出力機器のうち、所定の注目印刷出力機器を特定する注目機器情報と、を含むプロジェクト情報を生成する手段と、
各業者で利用する印刷出力機器と、前記注目印刷出力機器とに関する所定処理パラメータを事前に生成し、データベースに保持する手段とを含み、
前記データ受け入れサーバにより、受け渡し元から受け入れた印刷業務に係るデータが所定の提供条件を満足するか否かを、前記予備処理サーバが判断し、前記提供条件を満足しないデータであると判断したときに、前記データ処理サーバが、当該データの受け渡し先となる業者側で利用する印刷出力機器と、前記注目印刷出力機器とに関する前記所定処理パラメータを前記データベースから取得し、当該取得した所定処理パラメータに基づく処理を行って、前記データ受け渡しサーバが、当該処理されたデータを、データの受け渡し先となる業者側に配信し、
前記予備処理サーバが、前記受け渡し元から受け入れた印刷業務に係るデータが前記提供条件を満足するデータであると判断したときには、当該データがそのまま、受け渡し先となる業者に配信されることを特徴とする印刷業務支援システム。
【請求項２】
請求項１に記載の印刷業務支援システムであって、
前記データ受け入れサーバと、予備処理サーバと、データ処理サーバと、データ受け渡しサーバとは、各々少なくとも一つを含む、データ受け入れサーバ群、予備処理サーバ群、データ処理サーバ群、及びデータ受け渡しサーバ群を含み、
前記データ受け入れサーバ群に属するデータ受け入れサーバにより、受け渡し元から受け入れた印刷業務に係るデータが、所定の提供条件を満足するか否かを、前記予備処理サーバ群に属する予備処理サーバが判断し、前記提供条件を満足しないデータであると判断したときに、前記データ処理サーバ群に属するデータ処理サーバが、当該データの受け渡し先となる業者側で利用する印刷出力機器と、前記注目印刷出力機器とに関する前記所定処理パラメータを前記データベースから取得し、当該取得した所定処理パラメータに基づく処理を行って、前記データ受け渡しサーバ群に属するデータ受け渡しサーバが、当該処理されたデータを、データの受け渡し先となる業者側に配信し、
前記受け渡し元から受け入れた印刷業務に係るデータが前記提供条件を満足するデータであると、前記予備処理サーバ群に属する予備処理サーバが判断したときには、当該データがそのまま、受け渡し先となる業者に配信され、
データ受け入れサーバ群、予備処理サーバ群、データ処理サーバ群、及びデータ受け渡しサーバ群の各サーバ群における、それぞれのサーバ装置の数が、サーバ装置の負荷に応じて定められていることを特徴とする印刷業務支援システム。
【請求項３】
請求項１または２に記載の印刷業務支援システムであって、
各業者で利用する印刷出力機器と、前記注目印刷出力機器とに関する所定処理パラメータには、業者側の印刷出力装置を用いて注目印刷出力装置の色再現性をシミュレートさせる際に用いられるデバイスリンクプロファイルが含まれることを特徴とする印刷業務支援システム。
【請求項４】
請求項３に記載の印刷業務支援システムであって、
各業者間でのデータの受け渡し順を規定する順序情報の入力を受け入れる手段をさらに含み、
前記所定処理パラメータとしてデバイスリンクプロファイルを生成する手段は、当該入力された順序情報に基づいて、各業者で利用する印刷出力機器ごとに、前記注目印刷出力機器に対するデバイスリンクプロファイルの生成の制限し、またはその生成順序を調整することを特徴とする印刷業務支援システム。
【請求項５】
データ受け入れサーバ、予備処理サーバ、データ処理サーバ、及び、データ受け渡しサーバを用い、複数の業者間で前記データを授受しながら、当該データに係る印刷物を製造する印刷業務、を支援する方法であって、
前記サーバのいずれかが、
前記複数の業者を特定する情報を受け入れる工程と、
プロジェクトを遂行する業者を特定する情報として、前記複数の業者を特定する情報のうちの少なくとも一部と、当該遂行されるプロジェクトで利用される印刷出力機器のうち、所定の注目印刷出力機器を特定する注目機器情報と、を含むプロジェクト情報を生成する工程と、
各業者で利用する印刷出力機器と、前記注目印刷出力機器とに関する所定処理パラメータを事前に生成し、データベースに保持する工程と、を実行し、
前記データ受け入れサーバにより受け渡し元から受け入れた印刷業務に係るデータが、所定の提供条件を満足するか否かを、前記予備処理サーバが判断し、前記提供条件を満足しないデータであると判断したときに、前記データ処理サーバが、当該データの受け渡し先となる業者側で利用する印刷出力機器と、前記注目印刷出力機器とに関する前記所定処理パラメータを前記データベースから取得し、当該取得した所定処理パラメータに基づく処理を行って、前記データ受け渡しサーバが、当該処理されたデータを、データの受け渡し先となる業者側に配信し、
前記受け渡し元から受け入れた印刷業務に係るデータが、前記提供条件を満足するデータであると、前記予備処理サーバが判断したときには、当該データがそのまま、受け渡し先となる業者に配信されることを特徴とする印刷業務支援方法。
【請求項６】
請求項５に記載の印刷業務支援方法であって、
各業者で利用する印刷出力機器と、前記注目印刷出力機器とに関する所定処理パラメータには、業者側の印刷出力装置を用いて注目印刷出力装置の色再現性をシミュレートさせる際に用いられるデバイスリンクプロファイルが含まれることを特徴とする印刷業務支援方法。
【請求項７】
請求項６に記載の印刷業務支援方法であって、
各業者間でのデータの受け渡し順を規定する順序情報の入力を受け入れる工程をさらに含み、
前記所定処理パラメータとしてデバイスリンクプロファイルを生成する工程では、当該入力された順序情報に基づいて、各業者で利用する印刷出力機器ごとに、前記注目印刷出力機器に対するデバイスリンクプロファイルの生成が制限され、またはその生成順序が調整されることを特徴とする印刷業務支援方法。
【手続補正２】
【補正対象書類名】明細書
【補正対象項目名】００１０
【補正方法】変更
【補正の内容】
【００１０】
上記従来例の問題点を解決するための本発明は、データ受け入れサーバ、予備処理サーバ、データ処理サーバ、及び、データ受け渡しサーバを含み、複数の業者間で前記データを授受しながら、当該データに係る印刷物を製造する印刷業務、を支援するシステムであって、前記複数の業者を特定する情報を受け入れる手段と、プロジェクトを遂行する業者を特定する情報として、前記複数の業者を特定する情報のうちの少なくとも一部と、当該遂行されるプロジェクトで利用される印刷出力機器のうち、所定の注目印刷出力機器を特定する注目機器情報と、を含むプロジェクト情報を生成する手段と、各業者で利用する印刷出力機器と、前記注目印刷出力機器とに関する所定処理パラメータを事前に生成し、データベースに保持する手段とを含み、前記データ受け入れサーバにより、受け渡し元から受け入れた印刷業務に係るデータが所定の提供条件を満足するか否かを、前記予備処理サーバが判断し、前記提供条件を満足しないデータであると判断したときに、前記データ処理サーバが、当該データの受け渡し先となる業者側で利用する印刷出力機器と、前記注目印刷出力機器とに関する前記所定処理パラメータを前記データベースから取得し、当該取得した所定処理パラメータに基づく処理を行って、前記データ受け渡しサーバが、当該処理されたデータを、データの受け渡し先となる業者側に配信し、前記予備処理サーバが、前記受け渡し元から受け入れた印刷業務に係るデータが前記提供条件を満足するデータであると判断したときには、当該データがそのまま、受け渡し先となる業者に配信されることを特徴としている。
【手続補正３】
【補正対象書類名】明細書
【補正対象項目名】００１１
【補正方法】変更
【補正の内容】
【００１１】
ここで、前記データ受け入れサーバと、予備処理サーバと、データ処理サーバと、データ受け渡しサーバとは、各々少なくとも一つを含む、データ受け入れサーバ群、予備処理サーバ群、データ処理サーバ群、及びデータ受け渡しサーバ群を含み、前記データ受け入れサーバ群に属するデータ受け入れサーバにより、受け渡し元から受け入れた印刷業務に係るデータが、所定の提供条件を満足するか否かを、前記予備処理サーバ群に属する予備処理サーバが判断し、前記提供条件を満足しないデータであると判断したときに、前記データ処理サーバ群に属するデータ処理サーバが、当該データの受け渡し先となる業者側で利用する印刷出力機器と、前記注目印刷出力機器とに関する前記所定処理パラメータを前記データベースから取得し、当該取得した所定処理パラメータに基づく処理を行って、前記データ受け渡しサーバ群に属するデータ受け渡しサーバが、当該処理されたデータを、データの受け渡し先となる業者側に配信し、前記受け渡し元から受け入れた印刷業務に係るデータが前記提供条件を満足するデータであると、前記予備処理サーバ群に属する予備処理サーバが判断したときには、当該データがそのまま、受け渡し先となる業者に配信され、データ受け入れサーバ群、予備処理サーバ群、データ処理サーバ群、及びデータ受け渡しサーバ群の各サーバ群における、それぞれのサーバ装置の数が、サーバ装置の負荷に応じて定められていることとしてもよい。さらに各業者で利用する印刷出力機器と、前記注目印刷出力機器とに関する所定処理パラメータには、業者側の印刷出力装置を用いて注目印刷出力装置の色再現性をシミュレートさせる際に用いられるデバイスリンクプロファイルを含んでもよい。またこのとき、各業者間でのデータの受け渡し順を規定する順序情報の入力を受け入れる手段をさらに含み、前記所定処理パラメータとしてデバイスリンクプロファイルを生成する手段は、当該入力された順序情報に基づいて、各業者で利用する印刷出力機器ごとに、前記注目印刷出力機器に対するデバイスリンクプロファイルの生成の制限し、またはその生成順序を調整することとしてもよい。
【手続補正４】
【補正対象書類名】明細書
【補正対象項目名】００１２
【補正方法】変更
【補正の内容】
【００１２】
また、上記従来例の問題点を解決するための本発明は、データ受け入れサーバ、予備処理サーバ、データ処理サーバ、及び、データ受け渡しサーバを用い、複数の業者間で前記データを授受しながら、当該データに係る印刷物を製造する印刷業務、を支援する方法であって、前記サーバのいずれかが、前記複数の業者を特定する情報を受け入れる工程と、プロジェクトを遂行する業者を特定する情報として、前記複数の業者を特定する情報のうちの少なくとも一部と、当該遂行されるプロジェクトで利用される印刷出力機器のうち、所定の注目印刷出力機器を特定する注目機器情報と、を含むプロジェクト情報を生成する工程と、各業者で利用する印刷出力機器と、前記注目印刷出力機器とに関する所定処理パラメータを事前に生成し、データベースに保持する工程と、を実行し、前記データ受け入れサーバにより受け渡し元から受け入れた印刷業務に係るデータが、所定の提供条件を満足するか否かを、前記予備処理サーバが判断し、前記提供条件を満足しないデータであると判断したときに、前記データ処理サーバが、当該データの受け渡し先となる業者側で利用する印刷出力機器と、前記注目印刷出力機器とに関する前記所定処理パラメータを前記データベースから取得し、当該取得した所定処理パラメータに基づく処理を行って、前記データ受け渡しサーバが、当該処理されたデータを、データの受け渡し先となる業者側に配信し、前記受け渡し元から受け入れた印刷業務に係るデータが、前記提供条件を満足するデータであると、前記予備処理サーバが判断したときには、当該データがそのまま、受け渡し先となる業者に配信されることとしたものである。ここで各業者で利用する印刷出力機器と、前記注目印刷出力機器とに関する所定処理パラメータには、業者側の印刷出力装置を用いて注目印刷出力装置の色再現性をシミュレートさせる際に用いられるデバイスリンクプロファイルが含まれてもよい。また各業者間でのデータの受け渡し順を規定する順序情報の入力を受け入れる工程をさらに含み、前記所定処理パラメータとしてデバイスリンクプロファイルを生成する工程では、当該入力された順序情報に基づいて、各業者で利用する印刷出力機器ごとに、前記注目印刷出力機器に対するデバイスリンクプロファイルの生成が制限され、またはその生成順序が調整されてもよい。